(57)【要約】【課題】  従来、屋根の上で作業をする場合、作業者が屋上から墜落することを防止するため、Ｈ状に形成された金属製のベースに支柱を設置し支柱間にロープや足場用パイプをかけ渡した落下防止装置が存在するが、搬送しにくかった。【解決手段】  支柱の端部近傍に一端が揺動可能に装着され、他端が支柱に対して接近した第１のモードと、他端が支柱から離間した第２のモードを取り得る脚部と、一端が脚部に揺動自在に装着され、他端が支柱にその延在方向に沿って摺動可能に装着された連結桿と、が具備されることを特徴とする。【選択図】図１
2020033861.tif 000002
【特許請求の範囲】
【請求項１】
支柱を保持する脚部の開閉装置であって、
前記支柱の端部近傍に一端が揺動可能に装着され、他端が前記支柱に対して接近した第１のモードと、前記他端が前記支柱から離間した第２のモードを取り得る脚部と、
一端が前記脚部に揺動自在に装着され、他端が前記支柱の延在方向に沿って摺動可能に装着された連結桿と、
が具備される脚部の開閉装置。
【請求項２】
前記支柱には、前記第１のモードで前記脚部と前記連結桿が収納される収納部が設けられている請求項１記載の脚部の開閉装置。
【請求項３】
支柱はその延在方向と直交する方向の断面が筒状であって、その側面に前記収納部としての開口が設けられている請求項２記載の脚部の開閉装置。
【請求項４】
前記開口の内側に、前記連結桿の他端に設けられた摺動ピンが摺動可能に保持される摺動溝が形成されている請求項３記載の脚部の開閉装置。
【請求項５】
前記第１のモードで前記脚部の自由端に前記摺動ピンと選択的に係合して、前記脚部と前記連結桿を前記収納部に固定するための係合部が形成されている請求項４記載の脚部の開閉装置。
【請求項６】
前記第２のモードで前記連結桿の他端が前記支柱に固定される固定部が設けられている請求項１ないし請求項５のいずれかに記載の脚部の開閉装置。
【請求項７】
支柱は円筒形もしくは角筒形を呈している請求項１ないし請求項６のいずれかに記載の脚部の開閉装置。
【請求項８】
前記脚部は前記支柱の周囲に４本設けられ、前記第２のモードでは前記脚部は十字状に配置される請求項１ないし請求項７のいずれかに記載の脚部の開閉装置。
【発明の詳細な説明】
【技術分野】
【０００１】  本発明は、例えば屋上や地面に支柱を立てる際に、当該支柱を保持する脚部を容易に開閉することができる装置に関する。
【背景技術】
【０００２】  従来、例えば工場などの金属製折板屋根の上で作業をする場合、作業者が屋上から墜落することを防止するため、Ｈ状に形成された金属製のベースを複数個折板屋根の尾根部上に取り付け、各ベースの中央に支柱を立設し、当該支柱間にロープや足場用パイプをかけ渡した落下防止装置が存在する。
【先行技術文献】
【０００３】
【非特許文献】
【非特許文献】日綜産業株式会社発行のカタログ（ＶＯＣ１３．０４．５０Ｂ）
【発明の概要】
【発明が解決しようとする課題】
【０００４】  前述のように、従来の技術では、Ｈ状に形成された金属製のベースを複数個折板屋根の尾根部上に取り付け、各ベースの中央に支柱を立設し、当該支柱間にロープや足場用パイプをかけ渡していたので、支柱の設置作業などに時間を要し、また全体として重量が大きくなるので、作業がやりづらく極めて非効率であった。【０００５】  本発明は、上記のような従来の課題に鑑み、ワンタッチで支柱を立設することの可能な脚部の開閉装置を実現せんとするものである。
【課題を解決するための手段】
【０００６】  （１）本発明の脚部の開閉装置は、支柱を保持する脚部の開閉装置であって、前記支柱の端部近傍に一端が揺動可能に装着され、他端が前記支柱に対して接近した第１のモードと、前記他端が前記支柱から離間した第２のモードを取り得る脚部と、一端が前記脚部に揺動自在に装着され、他端が前記支柱の延在方向に沿って摺動可能に装着された連結桿と、が具備される。
本発明では、連結桿によって、脚部を第１のモードと第２のモードの間でスムーズに移行させることができるので、前記脚部を容易に開閉することができる。【０００７】  （２）本発明において、支柱には、前記第１のモードで脚部と連結桿が収納される収納部が設けられていることが望ましい。
支柱に脚部と連結桿が収納される収納部が設けられていると、支柱を搬送する際、支柱に脚部と連結桿を収納することができ、搬送を容易かつ迅速に行い得る。特に支柱を金属製折板屋根の上に持ち上げる際の利便性は高くなる。【０００８】  （３）本発明において、支柱はその延在方向と直交する方向の断面が矩形もしくは円形等の筒状であって、その側面に前記収納部としての開口が設けられていることが望ましいい。
支柱は筒状であって、その側面に収納部としての開口が設けられていると、開口に脚部と連結桿を収納することができ、収納した状態で脚部や連結桿が支柱から外部に突出することはない。【０００９】  （４）本発明において、開口の内側に、連結桿の他端に設けられた摺動ピンが摺動可能に保持される摺動溝が形成されていることが望ましい。
開口の内側に、連結桿の他端に設けられた摺動ピンが摺動可能に保持される摺動溝が形成されていると、脚部を支柱に対して接近離間させる際に、摺動ピンが摺動溝内を摺動して脚部を支柱に対して安定的に揺動させることができる。【００１０】  （５）本発明において、第１のモードで、脚部の自由端に、摺動ピンと選択的に係合し、脚部と連結桿を収納部に固定するための係合部が形成されていることが望ましい。
第１のモードで脚部の自由端に摺動ピンと選択的に係合し、脚部と連結桿を収納部に固定するための係合部が設けられていると、第１のモード即ち支柱に脚部と連結桿が収納された状態できちんと固定されるので、支柱を搬送する際に支柱から脚部が外部に垂れ下がることはない。【００１１】  （６）本発明において、第２のモードで連結桿の他端が支柱に固定される固定部が設けられていることが望ましい。
第２のモード即ち脚部が開いた状態で連結桿の他端が支柱に固定される固定部に固定されると、脚部が開いた状態で固定されるので、支柱は屋上などで自立する。【００１２】  （７）本発明において、支柱は円筒形もしくは角筒形を呈していることが望ましい。
支柱が円筒形もしくは角筒形を呈していると、全体的に軽量となり、また連結桿や脚部を支柱内に収納しやすくなる。
なお、円筒形や角筒形でなくとも断面が楕円形であっても実用に供し得る。【００１３】  （８）本発明において、脚部は支柱の周囲に４本設けられ、第２のモードでは脚部は十字状に配置されることが望ましい。
第２のモードでは脚部は十字状に配置されると、金属製折板屋根の上部に安定的に設置することができる。
【図面の簡単な説明】
【００１４】
【図１】本発明の実施形態における第２のモードを示す斜視図である。
【図２】本発明の実施形態における第１のモードを示す斜視図である。
【図３】本発明の実施形態において、第１のモードから第２のモードに移行する途中の状態を示す部分拡大斜視図である。
【図４】本発明の実施形態において、第２のモードの支柱の底部の部分拡大斜視図である。
【図５】本発明の実施形態における第１のモードを示す正面図である。
【図６】本発明の実施形態において、第１のモードから第２のモードに移行し始める状態を示す正面図である。
【図７】本発明の実施形態において、第１のモードから第２のモードに移行し始める次の段階の状態を示す正面図である。
【図８】本発明の実施形態において、第１のモードから第２のモードに移行する途中の段階の状態を示す正面図である。
【図９】本発明の実施形態において、第１のモードから第２のモードに概ね移行した状態を示す正面図である。
【図１０】本発明の実施形態において、第１のモードから第２のモードに完全に移行した状態を示す正面図である。
【００１５】  以下、図面を参照しつつ、本発明の実施形態を説明する。
図１は、支柱１から脚部２が十字状に突出した（開いた）状態である第２のモードを示し、図２は支柱１に脚部２が収納された（畳まれた）状態である第１のモードを示している。
即ち、図１は支柱１が屋根の上などに設置された状態を示し、図２は搬送する状態を示している。【００１６】  支柱１は、全体として角筒状であり、水平断面は一辺が１００ｍｍの正方形で鉛直方向の長さは７００ｍｍであって、その厚さが１．６ｍｍの溶融亜鉛メッキ鋼板製である。
支柱１の側面には、後述する脚部２が収納され得る収納部としての開口３が開設されている。前記開口３の延在方向の内側には、これも後述する連結桿４の一端に設けられた摺動ピン５が摺動する摺動溝６が形成されている（図４参照）。【００１７】  支柱１の底部近傍には、前記開口３に完全に収納され得る大きさと形状の脚部２の一端が、支持軸１４によって揺動自在に装着され、脚部２の中央部近傍に当該脚部２の延在方向に伸びる長孔７が穿設されている。【００１８】  前記連結桿４の一端には、脚部２の長孔７に両端が摺動自在に挿入された連結ピン８が固設され、他端には前記摺動ピン５が固設されている。
前記脚部２および連結桿４はいずれも断面コ字状を呈し、脚部２の内側凹所に連結桿４がすっぽり収納される形状となっている。【００１９】  前記脚部２の自由端部には前記摺動ピン５と係合する係合突起９と係合段部１０が設けられ、第１のモードでは脚部２の摺動ピン５が係合突起９と係合し、脚部２と連結桿４を前記開口３の内部に収納し固定する。【００２０】  より具体的には、前記係合突起９は図３ないし図１０に示すように、支柱側は緩慢な傾斜をしており反対側は垂直方向に立ち下がり、前記摺動ピン５と係合する係合段部１０が形成されている。っている。
従って、前述のように図５では、連結桿４の摺動ピン５が脚部２の係合段部１０と係合して第１のモードが維持されている。【００２１】  なお、本実施形態では１本の支柱１に脚部２や連結桿４は各４本が備えられているが、以下の説明においては１本の脚部２と連結桿４の動作について説明する。
即ち１本の脚部２と連結桿４の動作について説明するが、４本共に同一の動作を行うということである。【００２２】  次いで図６に示すように、連結桿４の先端部に形成されている舌片１３を把持して上方に持ち上げると、連結ピン８が長孔７内を上方に移動すると共に、摺動ピン５と係合段部１０との係合関係が解除され、脚部２はその支持軸１４を支点として反時計方向への旋回が可能になる。【００２３】  図７では、脚部２はその支持軸１４を支点として反時計方向に旋回し始め、この際連結ピン８は孔７内を下方に移動している。【００２４】  図８では脚部２が反時計方向に半分程度旋回しており、摺動ピン５は摺動溝６の内部を半分程度下方に移動している。
なお、前記摺動溝６は下端部が内側に若干曲げられており、この曲部１５が第２のモードで脚部２を支柱１に固定する固定部の役を果たす。【００２５】  図９では脚部２が反時計方向に旋回しており、脚部２の延在方向は略水平方向に一致している。そして、更に脚部２を反時計方向に旋回させ、前記連結桿４を下方に押し下げると、摺動ピン５は摺動溝６の前記曲部１５に沿って内側に移動し始める。この時は、連結ピン８は長孔７内を左方に移動している。【００２６】  次いで、更に脚部２を反時計方向に旋回させ、前記連結桿４を下方に押し下げると、摺動ピン５は摺動溝６の前記曲部１５に沿って下端部まで移動し、連結ピン８は長孔７内を右方に移動している。そうすると、脚部２は若干反時方向に旋回し、図１０に示すように支柱１の底面がαだけ上方に浮いた状態となり、この場合、連結桿４の連結ピン８と摺動ピン５によって脚部２は支柱１に固定され、第２のモードを維持することになる。
なお、第２のモードから第１のモードに戻すには、上記と逆の工程を経れば済む。【００２７】  支柱２を個折板屋根の尾根部１１上に取り付ける場合には図１に示すように、十字状に開かれた脚部を尾根部１１と交差するようにして固定すれば、安定的に取り付けることができる。
また、支柱１の上端には、目的に応じて、例えば足場用パイプなどを取り付けるための支持柱１２が接続される。
【符号の説明】
【００２８】  １  支柱、２  脚部、３  開口、４  連結桿、５  摺動ピン、６  摺動溝、７  長孔、８  連結ピン、９  係合突起、１０  係合段部、１１  尾根部、１２  支持柱、１３  舌片、１４  支持軸、１５  曲部。
【図１】
2020033861.tif 000003
【図２】
2020033861.tif 000004
【図３】
2020033861.tif 000005
【図４】
2020033861.tif 000006
【図５】
2020033861.tif 000007
【図６】
2020033861.tif 000008
【図７】
2020033861.tif 000009
【図８】
2020033861.tif 000010
【図９】
2020033861.tif 000011
【図１０】
2020033861.tif 000012